(57)【要約】【解決手段】多層式電気部品は、交互に積層された複数のセラミック層（２）と複数の電極層（３）とを有する単一の基体（１）を備える。基体（１）は、互いに対向する２つの端面（４，４’）と、互いに対向する２つの側面（５，５’）とを備える。多層式電気部品は、複数の外部電極（６，６’）と、電極層（３）に配置された複数の内部電極（７，８，９）とを備え、複数の内部電極（７，８，９）が、少なくとも部分的に重なり合って重複領域を形成している。内部電極（７，８，９）のそれぞれは、外部電極（６，６’）に割り振られている。端面（４，４’）の一方から延びる少なくとも１つの第１内部電極（７）は、端面（４，４’）の他方から延びる少なくとも１つの第２内部電極（８）と重なっている。側面（５，５’）の１つから延びる少なくとも１つの第３内部電極（９）が第１内部電極（７）及び第２内部電極（８）に重なっている。【選択図】図１Ａ
2012511820.tif 000002
【特許請求の範囲】
【請求項１】
交互に積層された複数のセラミック層（２）と複数の電極層（３）とを備え、互いに対向する２つの端面（４，４’）及び互いに対向する２つの側面（５，５’）を有する単一の基体（１）と、
複数の外部電極（６，６’）と、
前記電極層（３）に配置された複数の内部電極（７，８，９）とを備え、
前記複数の内部電極（７，８，９）が、少なくとも部分的に重なり合って重複領域を形成している多層式電気部品において、
前記複数の内部電極（７，８，９）のそれぞれは、前記外部電極（６，６’）に割り振られており、前記端面（４，４’）の一方から延びる少なくとも１つの第１内部電極（７）が、前記端面（４，４’）の他方から延びる少なくとも１つの第２内部電極（８）と重なり、前記側面（５，５’）の１つから延びる少なくとも１つの第３内部電極（９）が、前記第１内部電極（７）及び前記第２内部電極（８）に重なっていることを特徴とする多層式電気部品。
【請求項２】
前記第１内部電極（７）及び前記第２内部電極（８）は、前記重複領域において第１の電気的機能単位（１１）を形成することを特徴とする請求項１に記載の多層式電気部品。
【請求項３】
前記第３内部電極（９）は、前記第１内部電極（７）及び前記第２内部電極（８）のうちの１つとの重複領域において、セラミック層（２）と共に第２の電気的機能単位（１２）を形成することを特徴とする請求項２に記載の多層式電気部品。
【請求項４】
前記側面（５，５’）の１つから延びる第４内部電極（１０）が、前記第１内部電極（７）及び前記第２内部電極（８）の１つと、少なくとも部分的に重なり合って第３の電気的機能単位（１３）を形成することを特徴とする請求項３に記載の多層式電気部品。
【請求項５】
前記第３内部電極（９）及び前記第４内部電極（１０）は、同一の電極層（３）に配置されていることを特徴とする請求項４に記載の多層式電気部品。
【請求項６】
前記第３内部電極（９）は、前記基体（１）の対向する側面（５，５’）の一方に配置された外部電極（６’）に接続され、前記第４内部電極（１０）は、前記基体（１）の対向する側面（５，５’）の他方に配置された外部電極（６’）に接続されていることを特徴とする請求項４または５に記載の多層式電気部品。
【請求項７】
ｎを２より大きい整数として、ｎ個の外部電極を有する場合に、ｎ−１個の電気的機能単位を有することを特徴とする請求項１〜６のいずれかに記載の多層式電気部品。
【請求項８】
ｎを２より大きい整数として、ｎ個の外部電極を有する場合に、ｎ−２個の電気的機能単位を有することを特徴とする請求項３〜６のいずれかに記載の多層式電気部品。
【請求項９】
前記電気的機能単位（１１，１２，１３）は、コンデンサまたはバリスタ（１４）の機能を有することを特徴とする請求項１〜８のいずれかに記載の多層式電気部品。
【請求項１０】
容量の異なる複数のコンデンサを有することを特徴とする請求項９に記載の多層式電気部品。
【請求項１１】
バリスタ電圧の異なる複数のバリスタ（１４）を有することを特徴とする請求項９に記載の多層式電気部品。
【請求項１２】
前記セラミック層（２）は、バリスタ用セラミック及び・またはコンデンサ用セラミックからなることを特徴とする請求項１〜１１のいずれかに記載の多層式電気部品。
【請求項１３】
前記バリスタ用セラミックは、ビスマス・アンチモン添加酸化亜鉛（ＺｎＯ−ＢｉＳｂ）、またはプラセオジム添加酸化亜鉛（ＺｎＯ−Ｐｒ）からなることを特徴とする請求項１２に記載の多層式電気部品。
【請求項１４】
前記端面の１つに配置された少なくとも１つの外部電極（６’）は、接地されていることを特徴とする請求項１〜１３のいずれかに記載の多層式電気部品を備えた回路。
【請求項１５】
前記端面の１つに配置された少なくとも１つの外部電極（６’）は、電力供給ラインに接続されていることを特徴とする請求項１４に記載の回路。
【発明の詳細な説明】
【技術分野】
【０００１】
本発明は、多層式電気部品及び多層式電気部品を備えた回路に関する。
【背景技術】
【０００２】
多層式電気部品は、特許文献１によって知られている。
【先行技術文献】
【特許文献】
【０００３】
【特許文献１】独国特許出願公開第１０２００７０２０７８３号明細書
【発明の概要】
【発明が解決しようとする課題】
【０００４】
本発明の目的は、単純な方法で製造可能であると共に、高い集積密度を有した多層式電気部品を提供することにある。また、本発明の目的は、このような多層式電気部品を備えた回路を提供することにある。
【課題を解決するための手段】
【０００５】
上記目的は、請求項１に記載の多層式電気部品、及び請求項１４に記載の回路により、それぞれ達成される。従属請求項は、多層式電気部品の有利な構成に関するものである。
【０００６】
本発明の多層式電気部品は、交互に積層された複数のセラミック層と複数の電極層とを有する単一の基体を備える。基体は、互いに対向する２つの端面と、互いに対向する２つの側面とを有する。多層式電気部品は複数の外部電極を有している。電極層には複数の内部電極が設けられており、これら内部電極は少なくとも部分的に重なり合って重複領域を形成している。内部電極のそれぞれは、外部電極に割り当てられている。端面の一方から延びる少なくとも１つの第１内部電極が、端面の他方から延びる少なくとも１つの第２内部電極と重なっている。また、側面の１つから延びる少なくとも１つの第３内部電極が第１内部電極及び第２内部電極と重なっている。
【０００７】
多層式電気部品の第１内部電極及び第２内部電極は、上記重複領域において第１の電気的機能単位を形成する。
【０００８】
第３内部電極は、第１内部電極及び第２内部電極と重なり、その重複領域において、セラミック層と共に第２の電気的機能単位を形成する。
【０００９】
一態様において、多層式電気部品は、側面の１つから延びる第４内部電極を有する。第４内部電極は、第１内部電極及び第２内部電極の少なくとも一方と、少なくとも部分的に重なり合い、セラミック層と共に第３の電気的機能単位を形成する。
【００１０】
多層式電気部品の電気的機能単位は、互いにほとんど関わりあうことなく設けられているのが好ましい。
【００１１】
一態様において、第３内部電極及び第４内部電極は、同一の電極層に配置されている。
【００１２】
第３内部電極及び第４内部電極は、相互間でエッジ効果が生じないように配置されているのが好ましい。
【００１３】
一態様において、第３内部電極及び第４内部電極は、同一の電極層に配置されており、第３内部電極と第４内部電極との間で不必要なエッジ効果が生じることのない程度に互いに離間して配置されることにより、第３内部電極と第４内部電極との間に、少なくとも近似的に電気的機能単位が形成されないようになっている。
【００１４】
一態様において、第１内部電極は、基体の対向する端面の一方に配置された外部電極に接続され、第２内部電極は、基体の対向する端面の他方に配置された外部電極に接続されている。
【００１５】
更なる態様において、第３内部電極は、基体の対向する側面の一方に配置された外部電極に接続され、第４内部電極は、基体の対向する側面の他方に配置された外部電極に接続されている。
【００１６】
一態様において、多層式電気部品は、第１内部電極、第２内部電極、及び第３内部電極をそれぞれ１つずつ備え、このとき基体の両方の側面に外部電極を配置することが可能であるが、側面に設けられたこれら外部電極の一方は、第１内部電極、第２内部電極、及び第３内部電極の１つとの、直接的な電気的接続がなされていない。対称構造とするため、或いは製造の簡略化のためには、多層式電気部品において、対向する２つの側面にそれぞれ外部電極を設けるようにするのが有利である。
【００１７】
一態様において、ｎを２より大きい整数とすると、多層式電気部品は、ｎ個の外部電極を有する場合にｎ−１個の電気的機能単位を有する。
【００１８】
更なる態様において、多層式電気部品は、基体の長手方向軸線を中心に、内部電極の配置が対称であるのが好ましい。多層式電気部品における、このような２つの対称な部分領域のそれぞれは、外部電極がｎ個の場合にｎ−１個の電気的機能単位を有する。従って、ｎを２より大きい整数とすると、多層式電気部品の２つの対称な部分領域は、合わせてｎ個の外部電極を有する場合にｎ−２個の電気的機能単位を有する。
【００１９】
一態様において、多層式電気部品の電気的機能単位は、コンデンサまたはバリスタの機能を有する。更なる態様として、コンデンサ及びバリスタの両方、または複数のバリスタもしくは複数のコンデンサを多層式電気部品に配置することも可能である。
【００２０】
一態様において、多層式電気部品は、容量が異なる複数のコンデンサを有する。
【００２１】
更なる態様において、多層式電気部品は、バリスタ電圧が異なる複数のバリスタを有する。但し、多層式電気部品が、容量が異なる複数のコンデンサと、バリスタ電圧が異なる複数のバリスタとを備えるようにすることも可能である。
【００２２】
上述した多層式電気部品の一態様において、セラミック層は、バリスタ用セラミック及び・またはコンデンサ用セラミックからなる。
【００２３】
多層式電気部品においてセラミック層を形成するバリスタ用セラミックは、ビスマス・アンチモン添加酸化亜鉛（ＺｎＯ−ＢｉＳｂ）、またはプラセオジム添加酸化亜鉛（ＺｎＯ−Ｐｒ）からなるのが好ましい。
【００２４】
一態様において、多層式電気部品は対称な配置構成を有し、互いに対称な個々の部分構成が、上述したような多層式部品の構造を備えている。このような多層式電気部品において、外部電極は、２つの端面と側面の一方とに設けられているのが好ましい。この場合、対称に構成された多層式電気部品における個々の部分構成は、端面に配置された外部電極と接続された第１内部電極及び第２内部電極を備え、第１内部電極及び第２内部電極に重なると共に側面の一方に設けられた外部電極に電気的に接続された１つまたは複数の第３内部電極及び・または第４内部電極を備える。
【００２５】
上述の多層式電気部品を回路内に接続する場合、端面に配置された外部電極の少なくとも１つが接地される。また、端面に配置された外部電極の少なくとも１つは、電力供給ラインに接続される。更に、多層式電気部品の側面に配置された外部電極は、信号伝送ラインに接続されるのが好ましい。
【図面の簡単な説明】
【００２６】
【図１Ａ】３つの内部電極を備えた多層式電気部品の一実施形態として、多層式電気部品の内部電極を示す概略構成図である。
【図１Ｂ】図１Ａに示す多層式電気部品の概略断面図である。
【図２】多層式電気部品の一実施形態における外部電極の配置を示す概略図である。
【図３Ａ】４つの内部電極を備えた多層式電気部品の一実施形態として、多層式電気部品の内部電極を示す概略構成図である。
【図３Ｂ】図３Ａに示すような内部電極の配置構造を備えた多層式電気部品の概略断面図である。
【図４Ａ】４つの内部電極を備えた多層式電気部品のもう１つの実施形態として、多層式電気部品の内部電極を示す概略構成図である。
【図４Ｂ】図４Ａに示すような内部電極の配置構造を備えた多層式電気部品の概略断面図である。
【図５Ａ】４つの内部電極を備えた多層式電気部品の更にもう１つの実施形態として、多層式電気部品の内部電極を示す概略構成図である。
【図５Ｂ】図５Ａに示すような内部電極の配置構造を備えた多層式電気部品の概略断面図である。
【図５Ｃ】図５Ａ及び図５Ｂに示すような多層式電気部品の一実施形態における外部電極の配置を示す概略図である。
【図６Ａ】６つの内部電極を備えた多層式電気部品の一実施形態として、多層式電気部品の内部電極を示す概略構成図である。
【図６Ｂ】図６Ａに示すような内部電極の配置構造を備えた多層式電気部品の概略断面図である。
【図７Ａ】８つの内部電極を備えた多層式電気部品の一実施形態として、多層式電気部品の内部電極を示す概略構成図である。
【図７Ｂ】図７Ａに示すような内部電極の配置構造を備えた多層式電気部品の概略断面図である。
【図８Ａ】８つの内部電極を備えた多層式電気部品のもう１つの実施形態として、多層式電気部品の内部電極を示す概略構成図である。
【図８Ｂ】図８Ａに示すような内部電極の配置構造を備えた多層式電気部品の概略断面図である。
【図９Ａ】２つの対称なサブユニットを備えた多層式電気部品の一実施形態として、多層式電気部品の内部電極を示す概略構成図である。
【図９Ｂ】図９Ａに示すような内部電極の配置構造を備えた多層式電気部品の概略断面図である。
【図９Ｃ】図９Ａ及び図９Ｂに示すような多層式電気部品の一実施形態における外部電極の配置を示す概略図である。
【図１０】複数の電気的機能単位を備えた多層式電気部品の一実施形態における回路構成図である。
【発明を実施するための形態】
【００２７】
上述した本発明の多層式電気部品及び回路について、添付図面及び具体的な実施形態に基づき、更に詳細に説明する。
【００２８】
なお、添付の図面は、正確な縮尺とはなっておらず、個々の寸法が幾分拡大または縮小され、或いは変形して示されている場合がある。互いに同様の要素、或いは同じ機能を有する要素については同一の符号を用いて示している。
【００２９】
図１Ａは、多層式電気部品における内部電極の配置構造を示す概略構成図である。多層式電気部品は基体１を有しており、当該基体１には、第１内部電極７と第２内部電極８とが、平面視で互いに重なるようにして配置されている。また、多層式電気部品は第３内部電極９を有しており、当該第３内部電極９は、第１内部電極７及び第２内部電極８と重なる重複領域を有する。
【００３０】
図１Ｂは、図１Ａに示すような第１〜第３内部電極７，８，９の配置構造を有する多層式電気部品の概略断面図である。この多層式電気部品は基体１を有する。また、この多層式電気部品は、複数のセラミック層２及び複数の電極層３を有する。第１内部電極７及び第２内部電極８は、互いに上下に異なる電極層に配置されている。第１内部電極７と第２内部電極８とは、その重複領域において、間に介装されたセラミック層と共に第１の電気的機能単位１１を形成している。第３内部電極９は、第１内部電極及び第２内部電極８と重なっており、間にあるセラミック層と共に第２の電気的機能単位１２を形成している。このように、電極層３は第１〜第３内部電極７，８，９によって形成される。
【００３１】
図２は、多層式電気部品の基体１における、外部電極６，６’の配置を示す概略図である。この多層式電気部品は、４つの外部電極６，６’を備えた実施形態として示されており、２つの外部電極６が基体１の対向する２つの端面４，４’に配置されている。また、外部電極６’が基体１の対向する２つの側面５，５’にそれぞれ配置されている。
【００３２】
図１Ａ及び図１Ｂに示すような多層式電気部品の実施形態では、図２に示すように外部電極６，６’を配置することが可能であるが、この場合、外部電極６’の一方は、接続が行われない状態、即ち、多層式電気部品の第１〜第３内部電極７，８，９のいずれにも接続が行われない状態にある。多層式電気部品の第１内部電極７及び第２内部電極８は、端面に配置された外部電極６と電気的に接続されているのが好ましい。また、第３内部電極９は、基体１の側面に配置された外部電極６’の１つと電気的に接続されているのが好ましい。
【００３３】
図３Ａは、多層式電気部品の更なる実施形態として、多層式電気部品の内部電極を示す概略構成図であり、多層式電気部品は基体１を有する。第１内部電極７及び第２内部電極８は、互いに部分的に重なり合うことにより、その重複領域に、図３Ｂに示すような第１の電気的機能単位を形成している。また、多層式電気部品は、第３内部電極９及び第４内部電極１０を有する。これら第３内部電極９及び第４内部電極１０は、それぞれ第１内部電極７及び第２内部電極８との重複領域を有し、図３Ｂに示すような第２の電気的機能単位１２及び第３の電気的機能単位１３を形成している。
【００３４】
図３Ｂは、図３Ａに示す実施形態における多層式電気部品の概略断面図である。この多層式電気部品は、第１内部電極７及び第２内部電極８を有した基体１を備え、これら第１内部電極７及び第２内部電極８が互いに重なって第１の電気的機能単位１１を形成している。また、第３内部電極９及び第４内部電極１０が第１内部電極７及び第２内部電極８と重なることにより、第２の電気的機能単位１２及び第３の電気的機能単位１３を形成している。図３Ａ及び図３Ｂに示す実施形態の多層式電気部品は、図２に示す実施形態のような外部電極の配置構造を有するのが好ましい。この場合、外部電極６，６’は、いずれも内部電極と直接的に接続されている。即ち、基体１の２つの端面に配置された外部電極６には、一方に第１内部電極７が、また他方に第２内部電極８がそれぞれ接続され、基体１の２つの側面に配置された外部電極６’には、一方に第３内部電極９が、また他方に第４内部電極１０がそれぞれ接続されている。
【００３５】
図４Ａは、多層式電気部品の更なる実施形態を示しており、基体１が第１内部電極７及び第２内部電極８を有する。これら第１内部電極７及び第２内部電極８は、互いに重なって第１の電気的機能単位１１を形成している。図４Ａに示す実施形態において、多層式電気部品は、同じ電極層に配置された第３内部電極９及び第４内部電極１０を有する。第３内部電極９及び第４内部電極１０は、それぞれ第１内部電極７及び第２内部電極８と重なって更なる電気的機能単位を形成している。これら第３内部電極９及び第４内部電極１０は、第１内部電極７及び第２内部電極８と共に電気的機能単位を形成する一方で、第３内部電極９と第４内部電極１０との間では電気的機能単位を形成しないように配置されるのが好ましい。
【００３６】
図４Ｂは、図４Ａに示すような内部電極の配置構造を有する多層式電気部品の概略断面図である。この多層式電気部品は、２つの第１内部電極７及び２つの第２内部電極８を有した基体１を備える。第１内部電極７と第２内部電極８との対が２つ形成されており、１対の第１内部電極７及び第２内部電極８と、もう１対の第１内部電極７及び第２内部電極８と間には、第３内部電極９及び第４内部電極１０が配置されている。これら第３内部電極９及び第４内部電極１０は同一の電極層に配置されている。図４Ａ及び図４Ｂに示す実施形態の多層式電気部品は、例えば、図２に示すような外部電極の配置構造を有する。この場合、第１内部電極７及び第２内部電極８は、基体１の２つの端面に配置された外部電極６に接続されている。また、第３内部電極９及び第４内部電極１０は、基体１の２つの側面に配置された外部電極６’に接続されている。
【００３７】
図５Ａは、多層式電気部品の更なる実施形態を示している。この多層式電気部品は基体１を有し、第１内部電極７及び第２内部電極８が、互いに重なって第１の電気的機能単位１１を形成するように配置されている。図５Ａに示す実施形態において、多層式電気部品の基体１は第３内部電極９及び第４内部電極１０を有し、これら第３内部電極９及び第４内部電極１０は、第１内部電極７及び第２内部電極８と重なって、更なる電気的機能単位を形成している。図示した実施形態において、多層式電気部品の第３内部電極９及び第４内部電極１０は、基体１の同一の側面まで延設されている。
【００３８】
図５Ｂは、図５Ａに示す実施形態における多層式電気部品の概略断面図である。この多層式電気部品は基体１を有しており、当該基体１に複数の内部電極７，８，９，１０が配置され、第１内部電極７及び第２内部電極８が、互いに重なって第１の電気的機能単位１１を形成している。そして、第３内部電極９は、第１内部電極７及び第２内部電極８と重なって、第２の電気的機能単位１２を形成している。また、第４内部電極１０も同様に、第１内部電極７及び第２内部電極８と重なって、第３の電気的機能単位１３を形成している。第３内部電極９及び第４内部電極１０は、同一の電極層に並設されている。
【００３９】
図５Ｃは、多層式電気部品の基体１における外部電極６，６’の配置を示す概略図である。多層式電気部品は、基体１の２つの端面４，４’に、それぞれ外部電極６を有し、これら外部電極６は、一方が多層式電気部品の第１内部電極７に、また他方が多層式電気部品の第２内部電極８にそれぞれ接続されている。基体１の側面５，５’に配置された外部電極６’は、多層式電気部品の第３内部電極９及び第４内部電極１０にそれぞれ接続されているのが好ましい。
【００４０】
図５Ｃに示す実施形態の多層式電気部品では、側面のそれぞれに２つの外部電極６’が設けられている。図５Ａ及び図５Ｂに示す実施形態における多層式電気部品のための外部電極６，６’の配置構造は、図５Ｃに示す実施形態のように具現化することができる。但し、図５Ａに示す実施形態の多層式電気部品については、基体１の対向する２つの側面に外部電極６’を配置する必要はない。図５Ａ及び図５Ｂの実施形態については、基体１の一方の側面に配置された２つの外部電極６’があれば十分であって、基体１の他方の側面に配置された更なる２つの外部電極６’は接続がなされず、内部電極のいずれにも接続されていない。しかしながら、多層式電気部品の対称性を得るため、或いは多層式電気部品の製造上の理由から、図５Ｃに示すように、対称に配置された外部電極６，６’を基体１に設けるようにすれば有利である。
【００４１】
図６Ａは、多層式電気部品の更なる実施形態を示しており、この多層式電気部品は、第１内部電極７及び第２内部電極８が互いに重なって配置された基体１を有する。図６Ａに示す実施形態においては、第１内部電極７及び第２内部電極８と重なって電気的機能単位を形成する２つの第３内部電極９が設けられている。また、この多層式電気部品は、同様に第１内部電極７及び第２内部電極８と重なって更なる電気的機能単位を形成する２つの第４内部電極１０を有する。
【００４２】
図６Ｂは、図６Ａに示すような多層式電気部品における内部電極の配置構造を有する多層式電気部品の概略断面図である。この多層式電気部品は基体１を有し、当該基体１において、第１内部電極７及び第２内部電極８が互いに重なって第１の電気的機能単位１１を形成している。また、多層式電気部品の２つの第３内部電極９は、第１内部電極７及び第２内部電極８と重なって、セラミックを用いた複合構成体の中に更なる電気的機能単位を形成している。２つの第４内部電極１０も同様に第１内部電極７及び第２内部電極８と重なり、更なる電気的機能単位を形成している。第３内部電極９及び第４内部電極１０は、第１内部電極７及び第２内部電極８より上方となる電極層と、第１内部電極７及び第２内部電極８より下方となる電極層との、それぞれ異なる電極層に配置されている。
【００４３】
図６Ａ及び図６Ｂに示す実施形態における多層式電気部品の外部電極の配置構造は、図５Ｃの実施形態のように具現化するのが好ましい。このとき、多層式電気部品の第１内部電極７及び第２内部電極８は、基体１の２つの端面に配置された外部電極６に接続されている。また、多層式電気部品の第３内部電極９及び第４内部電極１０は、基体１の２つの側面に配置された外部電極６’に接続されている。従って、図６Ａ及び図６Ｂの実施形態では、図５Ｃに示すような多層式電気部品の外部電極６，６’が、いずれも内部電極と接続されている。
【００４４】
図７Ａは、多層式電気部品の更なる実施形態を示しており、この多層式電気部品は、第１内部電極７及び第２内部電極８が互いに重なって配置された基体１を有する。図７Ａに示す実施形態において、多層式電気部品には、第１内部電極７及び第２内部電極８と重なって電気的機能単位を形成する２つの第３内部電極９が設けられている。また、この多層式電気部品は、同様に第１内部電極７及び第２内部電極８と重なって更なる電気的機能単位を形成する２つの第４内部電極１０を有する。
【００４５】
図７Ｂは、図７Ａに示す実施形態における多層式電気部品の概略断面図である。この多層式電気部品は、複数の第１内部電極７及び複数の第２内部電極８を有する。一方の第１内部電極７及び一方の第２内部電極８は多層式電気部品の中央寄りに配置され、互いに重なって第１の電気的機能単位を形成している。多層式電気部品の第１内部電極７と第２内部電極８との間には第３内部電極９が配置され、この第３内部電極９が、セラミックを用いた複合構造体において、第１内部電極７及び第２内部電極８と共に電気的機能単位を形成している。また、多層式電気部品は、更に第４内部電極１０を有し、この第４内部電極１０が、第１内部電極７及び第２内部電極８と共に、更なる電気的機能単位を形成している。第３内部電極９及び第４内部電極１０は、第１内部電極７と第２内部電極８との間に位置する異なった電極層にそれぞれ配置されている。
【００４６】
図７Ａ及び図７Ｂに示す実施形態における多層式電気部品の外部電極の配置構造は、例えば、図５Ｃに示す実施形態のような外部電極６，６’の配置構造により具現化することができる。
【００４７】
図８Ａは、多層式電気部品の更なる実施形態を示している。この多層式電気部品は、第１内部電極７及び第２内部電極８が互いに重なって配置された基体１を有する。更に、多層式電気部品は、２つの第３内部電極９及び２つの第４内部電極１０を有し、これら第３内部電極９及び第４内部電極１０は、第１内部電極７及び第２内部電極８と重なることにより、その重複領域に電気的機能単位を形成している。第３内部電極９及び第４内部電極１０は、多層式電気部品の同一の電極層にそれぞれ配置されている。第３内部電極９及び第４内部電極１０は、それぞれ第１内部電極７との重複領域及び第２内部電極８との重複領域に電気的機能単位を形成する一方、第３内部電極９と第４内部電極１０との間、または２つの第３内部電極９の間及び２つの第４内部電極１０の間のそれぞれには電気的機能単位が形成されないように配置するのが好ましい。
【００４８】
図８Ｂは、図８Ａに示す実施形態のような内部電極の配置構造を備えた多層式電気部品の概略断面図である。この多層式電気部品は、第１内部電極７と第２内部電極８との対を２つ有し、２つの第３内部電極９及び２つの第４内部電極１０が、これら第１内部電極７と第２内部電極８との２つの対の間に配置されている。また、第３内部電極９及び第４内部電極１０は、それぞれ多層式電気部品の同一の電極層に配置されている。図８Ａ及び図８Ｂに示す実施形態における多層式電気部品の外部電極は、例えば、図５Ｃに示すようにして具現化することができる。この場合、第１内部電極７及び第２内部電極８は、２つの端面に配置された外部電極６に接続され、第３内部電極９及び第４内部電極１０は、２つの側面に配置された外部電極６’に接続される。
【００４９】
図９Ａは、多層式電気部品の更なる実施形態を示している。図９Ａに示す実施形態において、多層式電気部品は対称構造を有しており、対称をなすサブユニットのそれぞれは、第１内部電極７及び第２内部電極８を有すると共に、複数の第３内部電極９及び複数の第４内部電極１０を有する。それぞれのサブユニットにおいて第１内部電極７及び第２内部電極８は、互いに重なることにより、セラミック層を有した複合構成体に第１の電気的機能単位を形成している。この多層式電気部品において、２つの第１内部電極７は互いに絶縁され、また２つの第２内部電極８も互いに絶縁されており、これら内部電極のそれぞれに別個の外部電極６が設けられる。第３内部電極９及び第４内部電極１０は、それぞれ第１内部電極７及び第２内部電極８と重なることにより、更なる電気的機能単位を形成している。
【００５０】
図９Ｂは、図９Ａに示す実施形態における多層式電気部品の概略断面図である。この多層式電気部品は、第１内部電極７と第２内部電極８との対を２つ有し、これら２つの対の間には、第３内部電極９及び第４内部電極１０がそれぞれ配置されている。図示した実施形態において、多層式電気部品の第３内部電極９及び第４内部電極１０は、同一の電極層に配置されている。但し、更なる実施形態として(図示せず)、これら第３内部電極９及び第４内部電極１０を複数の電極層に配置することも可能である。
【００５１】
図９Ｃは、図９Ａ及び図９Ｂに示した実施形態における多層式電気部品の外部電極６，６’の配置構造を示す。この場合、多層式電気部品の基体１は、２つの端面４，４’のそれぞれに２つずつ配置された外部電極６を有する。端面４，４’に配置された外部電極６は、それぞれが個々に対応する第１内部電極７及び第２内部電極８に接続されている。また、基体１の２つの側面５，５’に配置された外部電極６’は、それぞれが個々に対応する第３内部電極９及び第４内部電極１０に接続されている。
【００５２】
図１０は、多層式電気部品の概略の回路構成を示しており、図示した実施形態では、多層式電気部品が５つの電気的機能単位を有している。図示した実施形態において、これら電気的機能単位はバリスタとして具現化されている。但し、これら電気的機能単位は、コンデンサとして具現化することも可能である。また、多層式電気部品がコンデンサ及びバリスタの両方を有するようにすることも可能である。図示した実施形態において、多層式電気部品は６つの外部電極６，６’を有し、２つの外部電極６が多層式電気部品の２つの端面に配置されると共に、２つの側面にはそれぞれ２つずつの外部電極６’が配置されている。多層式電気部品の２つの端面に配置された外部電極６の一方は接地点１６にて接地され、当該外部電極６の他方は電力供給ラインに接続されている。多層式電気部品の２つの側面に配置された外部電極６’は、信号伝送ラインに接続されるのが好ましい。また、これら側面にある外部電極６’への接続順序は所望の通り選択することが可能であり、この場合、２つの端面に配置された外部電極６は、一方が接地点１６にて接地され、他方が電極供給ラインに接続されるのが好ましい。
【００５３】
本発明の可能な変形については、限られた数の具体的な実施形態でしか説明できなかったが、本発明はこれらの実施形態に限定されるものではない。基本的に、多層式電気部品は、バリスタ及び・またはコンデンサとして具現化される電気的機能単位を複数有することが可能であり、電気的機能単位、並びに内部電極及び外部電極は、対称に配置されて具現化されるのが好ましい。電気的機能単位の数は、多層式電気部品の大きさのみによって制限される。
【００５４】
ここに特定した事項は、個々の特定の実施形態に限定されるものではなく、個々の実施形態における特徴は、技術的に適切である限りにおいて、所望する通り任意に組み合わせることが可能である。
【符号の説明】
【００５５】
１  基体
２  セラミック層
３  電極層
４，４’  端面
５，５’  側面
６，６’  外部電極
７  第１内部電極
８  第２内部電極
９  第３内部電極
１０  第４内部電極
１１  第１の電気的機能単位
１２  第２の電気的機能単位
１３  第３の電気的機能単位
１４  バリスタ
１５  電力供給ライン
１６  接地点
【図１Ａ】
2012511820.tif 000003
【図１Ｂ】
2012511820.tif 000004
【図２】
2012511820.tif 000005
【図３Ａ】
2012511820.tif 000006
【図３Ｂ】
2012511820.tif 000007
【図４Ａ】
2012511820.tif 000008
【図４Ｂ】
2012511820.tif 000009
【図５Ａ】
2012511820.tif 000010
【図５Ｂ】
2012511820.tif 000011
【図５Ｃ】
2012511820.tif 000012
【図６Ａ】
2012511820.tif 000013
【図６Ｂ】
2012511820.tif 000014
【図７Ａ】
2012511820.tif 000015
【図７Ｂ】
2012511820.tif 000016
【図８Ａ】
2012511820.tif 000017
【図８Ｂ】
2012511820.tif 000018
【図９Ａ】
2012511820.tif 000019
【図９Ｂ】
2012511820.tif 000020
【図９Ｃ】
2012511820.tif 000021
【図１０】
2012511820.tif 000022
【国際調査報告】
2012511820.tif 000023
2012511820.tif 000024
2012511820.tif 000025
2012511820.tif 000026